【手続補正書】
【提出日】平成15年10月6日(2003.10.6)
【手続補正１】
【補正対象書類名】明細書
【補正対象項目名】全文
【補正方法】変更
【補正の内容】
【発明の名称】光ディスク駆動装置の光ピックアップ
【特許請求の範囲】
【請求項１】光ディスク駆動装置のシャーシ上に配設された少なくとも一本のガイドロッドに沿って光ディスクの半径方向に往復動可能に設けら、前記ガイドロッドに直交する方向に伸びる一対の側壁を有するピックアップベースと、
前記ピックアップベースの側壁に支持された一対の側壁部を有するとともに、磁石を備えたヨークを有するアクチュエータベースと、
前記アクチュエータベースに設けられたダンパーベースと、
前記ダンパーベースにサスペンジョンバネを介して少なくともトラッキング方向及びフォーカッシング方向に変位可能に支持されたアクチュエータ可動部と、
前記アクチュエータ可動部に設けられた対物レンズと、
前記アクチュエータ可動部に設けられ、前記アクチュエータベースのヨークと協働して前記対物レンズをフォーカッシング方向及びトラッキング方向に駆動するための駆動コイルと、を有する光ディスク駆動装置の光ピックアップにおいて、
前記アクチュエータベースの前記側壁部はそれらの上縁部において連結手段により一体に連結されて構成されており、前記アクチュエータベースのヨークは、前記連結手段から前記アクチュエータ可動部の駆動コイルに向かって垂下していることを特徴とする光ディスク駆動装置の光ピックアップ。
【請求項２】前記駆動コイルは、フォーカスサーボ用コイル及びトラッキングサーボ用コイルを有する第１のコイル駆動部と第２のコイル駆動部とを有しており、また前記連結手段は、前記第１のコイル駆動部及び第２のコイル駆動部にそれぞれ対応する第１の連結部と第２の連結部とを有しており、前記ヨークは各連結部からそれぞれ対応するコイル駆動部に向かって下向きに延出していることを特徴とする請求項１に記載の光ディスク駆動装置の光ピックアップ。
【請求項３】前記駆動コイルは、フォーカスサーボ用コイル及びトラッキングサーボ用コイルを有する第１のコイル駆動部と第２のコイル駆動部とを有しており、前記連結手段は、前記アクチュエータベースの一対の側壁部の上縁部を一体に連結する所定間隔で設けられた第１及び第２の板状の連結部からなり、前記ヨークは、前記第１及び第２の連結部にそれぞれ設けられた第１及び第２のヨークを含み、該第１及び第２のヨークの各々は、それぞれのバックヨークと対向ヨークが各連結部の両側から下向きに突出するように一体に形成されていることを特徴とする請求項１に記載の光ディスク駆動装置の光ピックアップ。
【請求項４】前記対物レンズは、前記第１の連結部と第２の連結部との間に位置することを特徴とする請求項２または３に記載の光ディスク駆動装置の光ピックアップ。
【請求項５】サスペンジョンバネにより少なくともトラッキング方向及びフォーカッシング方向に変位可能に支持され、光ディスクに対してビームを照射しかつ反射されたビームを受光する対物レンズと、フォーカスサーボ用コイル及びトラッキングサーボ用コイルを含む一対のコイル駆動部とを有するアクチュエータ可動部を備えた光ディスク駆動装置の光ピックアップにおいて、前記対物レンズと、前記アクチュエータ可動部の重心と、前記サスペンジョンバネが前記アクチュエータ可動部を支持する支点と、前記駆動コイルによる前記アクチュエータ可動部の駆動点とが、前記アクチュエータ可動部のほぼ中心部に位置していることを特徴とする光ディスク駆動装置の光ピックアップ。
【発明の詳細な説明】
【０００１】
【発明が属する技術分野】
本発明は、光ディスク駆動装置における光ピックアップに関し、さらに詳しくは、より薄型化が可能な光ディスク駆動装置における光ピックアップの構造に関する。
【０００２】
【従来の技術】
光ディスク駆動装置は、例えばコンパクトディスク（ＣＤ）やＣＤ−ＲＯＭのような記録媒体の信号面（記録面）にレーザビームを照射し、該信号面にスパイラル状に形成された多数のピットにより記録された情報を、レーザビームの反射光における光強度の変化を通じて再生する装置であり、例えばＣＤプレーヤやＣＤ−ＲＯＭドライブなどが含まれる。また、光ディスク駆動装置には、情報の記録・再生が可能なＣＤ−ＲやＣＤ−ＲＷやＤＶＤ−ＲＡＭなどの光ディスク用のディスクドライブをも含まれる。
【０００３】
このような光ディスク駆動装置は、光ディスクに対してレーザビームを照射しかつその反射光を受光するための光ピックアップを備えている。図５は、従来の光ディスク駆動装置における光ピックアップの構造を示す分解斜視図であり、また図６は、主要部分の断面図である。
【０００４】
同図に示されているように、光ピックアップ１００は、概略、ガイドロッド１０２によって光ディスク（図示せず）の半径方向に往復動自在に案内され、図示しないスライド移動機構により駆動されるピックアップベース１１０と、前記ピックアップベース１１０に支持されたアクチュエータベース１２０と、前記アクチュエータベース１２０に取り付けられたダンパーベース１３０と、前記ダンパーベース１３０にサスペンションバネ１４０を介してフォーカッシング方向（Ｆ）及びトラッキング方向（Ｔｒ）に変位可能に支持されたレンズホルダ１５０と、前記レンズホルダ１５０に設けられた対物レンズ１６０と、から構成されている。
【０００５】
より詳しくは、前記ピックアップベース１１０は、アルミダイキャストなどの成形品から形成され、図５に示すように、レーザビームを発するレーザダイオード（ＬＤ）１１３と、前記レーザダイオード１１３からのビームを透過させるビームスプリッタ１１４と、該ビームスプリッタ１１４からのビームを対物レンズ１６０の方へ向けて反射させるミラー１１５と、光ディスクから反射されたビームを受光し、該ビームの光強度の変化に基づく電気信号を生成する分割フォトダイオード１１６と、を備えている。この光ディスクから反射されたビームは、前記対物レンズ１６０を通りミラー１１５でビームスプリッタ１１４に向けて反射され、さらに該ビームスプリッタ１１４でフォトダイオード１１６の受光面に向けて反射されるようになっている。
【０００６】
また、このピックアップベース１１０のガイドロッド１０２の長手方向に間隔をおいて位置する左右の側壁部１１１ａ、１１１ｂには、それぞれ、アクチュエータベース１２０をガイドロッド１０２に平行な軸を中心として揺動可能に支持するための支持部１１２、１１２が形成されている。なお、本明細書では、ガイドロッドの長手軸方向を「左右」と称し、ガイドロッドに直交する方向を「前後」と称している。
【０００７】
前記アクチュエータベース１２０は、金属板を折曲形成してなるベースフレーム１２１を有しており、このベースフレーム１２１のほぼ中央には、連結部１２５を挟んでその両側に２つの開口１２１ａ，１２１ｂが打ち抜き形成されている。これらの開口のうち一方の開口１２１ａは、前述したレーザダイオード１１３からのレーザビームを対物レンズ１６０に導く光路のためのスペースをなしている。
【０００８】
このベースフレーム１２１の左右には、前記ピックアップベース１１０の左右側壁の支持部１１２、１１２に支持される受け面１２２ａ、１２２ａを有する一対の立上り片１２２、１２２が略直角に一体に折曲げ形成されている。そして、これらの受け面１２２ａ、１２２ａを介して、アクチュエータベース１２０がピックアップベース１１０に対して揺動自在に支持されている。
【０００９】
ベースフレーム１２１のガイドロッド１０２側は、略直角に上向きに折り曲げられており、後述するように、ダンパーベース１３０が取り付けられる取付部１２４をなしている。
【００１０】
また、このベースフレーム１２１の連結部１２５の両縁には、対向ヨーク１２６及びバックヨーク１２７が略直角に上向きに一体に折曲げ形成されている。このバックヨーク１２７の内面には、磁石１２８が設けられている。
【００１１】
さらに、このベースフレーム１２１の取付部１２４の反対側も上向きに略直角に折曲げ形成されており、この折曲げ部１２９の上縁からは略水平方向に伸びる水平部１２９ａが一体に形成されている。
【００１２】
前述したように、ダンパーベース１３０は、前記アクチュエータベース１２０の取付部１２４に取り付けられている。より詳しくは、ダンパーベース１３０は、取付部１２４の内側に取付部１２４の外側から螺入されたネジ１３２により取り付けられている。このネジ１３２は、光ピックアップのラジアルスキュー調整の際の回転軸をなすものであり、ダンパーベース１３０のアクチュエータベースの取付部１２４に対するネジ１３２の軸を中心とした回転方向の取り付け角度を調整して、光ピックアップのラジアルスキュー調整が行われるようになっている。
【００１３】
このダンパーベース１３０の左右両側からは、一対のサスペンションバネ１４０がアクチュエータ可動部（レンズホルダ）１５０の方へ延出しており、これらのサスペンジョンバネ１４０を介してアクチュエータ可動部１５０がトラッキング方向（Ｔｒ）及びフォーカッシング方向（Ｆ）に揺動自在に支持されている。
【００１４】
アクチュエータ可動部１５０には、アクチュエータベース１２０の対向ヨーク１２６，バックヨーク１２７及び磁石１２８と協働してアクチュエータ可動部１５０を駆動するための駆動コイル１５２が設けられている。この駆動コイル１５２は、上から見て細長い四角形の筒状となるように巻回されたフォーカスサーボ用コイル１５２ａと、該フォーカスサーボ用コイル１５２ａの外側に設けられた一対のコイルを有するトラッキングサーボ用コイル１５２ｂとを備えている。
【００１５】
そして、図６に詳細に示されているように、ダンパーベース１３０がアクチュエータベース１２０の取付部１２４に固定された状態で、アクチュエータベース１２０のバックヨーク１２７と磁石１２８がフォーカスサーボ用コイル１５２ａの中心孔に挿入されるようになっている。この状態では、フォーカスサーボ用コイル１５２ａの一部とトラッキングサーボ用コイル１５２ｂとが、バックヨーク１２７の磁石１２８と対向ヨーク１２６との間のスペースに位置する。
【００１６】
なお、前記サスペンジョンバネ１４０は、前記フォーカスサーボ用コイル１５２ａの左右両側にて、アクチュエータ可動部１５０に取り付けられている。
【００１７】
以上の構成を有する光ピックアップ１００においては、レーザダイオード１１３から発せられたビームがビームスプリッタ１１４を透過し、ミラー１１５の方向へ導かれ、ミラー１１５で反射されたビームが対物レンズ１６０を通ってディスクの信号面に集光するようになっている。そして、光ディスクの信号面で反射された光は、再び対物レンズ１６０を介してミラー１１５でビームスプリッタ１１４の方向へ反射され、ビームスプリッタ１１４でさらにフォトダイオード１１６の方向へ反射され、フォトダイオード１１６の受光面で受光される。これにより、フォトダイオード１１６において、受光したビームの光強度の変化に対応する電気信号が生成され、その電気信号に基づいて光ディスクの信号面に記録された情報の再生が行われる。また、光ピックアップがＣＤ−Ｒドライブなどの書き込み可能な光ディスク駆動装置に用いられる場合には、レーザダイオード１１３から発せられたレーザビームにより、光ディスクに情報の書き込みが行われる。
【００１８】
この光ピックアップ１００は、上述した構造により、バックヨーク１２７、磁石１２８、空隙、対向ヨーク１２６という順の磁気回路を構成し、この空隙中に駆動コイル１５２が配置されており、これらにより対物レンズ１６０を駆動するアクチュエータを構成している。そして、駆動コイル１５２（フォーカスサーボ用コイル１５２ａ、トラッキングサーボ用コイル１５２ｂ）にフォーカス誤差信号またはトラッキング誤差信号に比例した電流を流すことにより、フォーカスサーボ及びトラッキングサーボを行うようになっている。
【００１９】
ところで、最近では、ディスクの回転速度が１２倍速、１６倍速、２４倍速という具合に高速化され、それに伴い低速回転では影響のなかった振動が大きな問題となっているが、上記従来例の構造では、アクチュエータの駆動力が十分でないために、そのような振動によりサーボの精度に影響が生じるようなことがあった。
【００２０】
また、上記従来例の構造では、対物レンズの中心、アクチュエータの駆動点及びサスペンジョンバネがアクチュエータ可動部を支持する支点が互いにずれており、アクチュエータ可動部の重量バランスを取りにくいという問題もあった。そのため、この従来の光ピックアップでは、アクチュエータ可動部の先端側にバランス用の重り１５４が設けられており、部品点数や組立工数が増える原因の１つとなっていた。
【００２１】
さらに、光ピックアップが用いられるディスクドライブの設計上、光ピックアップはできるだけ薄型に構成することが望ましいが、この従来の光ピックアップの構造では、バックヨークに設けた磁石とアクチュエータベース１２０のベースフレーム１２１との間における磁束漏れを防ぐために磁石とベースフレームの間に所定の間隔を設ける必要があり、またベースフレームの板材の厚さも影響することから、光ピックアップの薄型化が難しいという問題があった。
【００２２】
以上の問題点に加え、上記従来例の構造では、バックヨークの後方（対向ヨークの反対側）に漏れた磁束によって正規の駆動点の反対側に逆方向の駆動力が作用してしまうという問題もあった。
【００２３】
【発明が解決しょうとする課題】
本発明は、以上のような従来のディスク駆動装置の光ピックアップにおける問題に鑑みなされたものであり、より薄型化が可能な光ディスク駆動装置の光ピックアップを提供することを目的とする。
【００２４】
【課題を解決するための手段】
以上の目的を達成するために、本発明に係る光ディスク駆動装置の光ピックアップは、光ディスク駆動装置のシャーシ上に配設された少なくとも一本のガイドロッドに沿って光ディスクの半径方向に往復動可能に設けら、前記ガイドロッドに直交する方向に伸びる一対の側壁を有するピックアップベースと、
前記ピックアップベースの側壁に支持された一対の側壁部を有するとともに、磁石を備えたヨークを有するアクチュエータベースと、
前記アクチュエータベースに設けられたダンパーベースと、
前記ダンパーベースにサスペンジョンバネを介して少なくともトラッキング方向及びフォーカッシング方向に変位可能に支持されたアクチュエータ可動部と、
前記アクチュエータ可動部に設けられた対物レンズと、
前記アクチュエータ可動部に設けられ、前記アクチュエータベースのヨークと協働して前記対物レンズをフォーカッシング方向及びトラッキング方向に駆動するための駆動コイルと、を有する光ディスク駆動装置の光ピックアップにおいて、
前記アクチュエータベースの前記側壁部はそれらの上縁部において連結手段により一体に連結されて構成されており、前記アクチュエータベースのヨークは、前記連結手段から前記アクチュエータ可動部の駆動コイルに向かって垂下していることを特徴とする光ディスク駆動装置の光ピックアップ。
【００２５】
以上の構成の光ディスク駆動装置の光ピックアップによれば、少なくともアクチュエータベースの板厚分をピックアップの上側のスペースで吸収することができ、光ピックアップを薄型化することが可能となる。
【００２６】
この場合、好ましくは、前記駆動コイルをそれぞれフォーカスサーボ用コイル及びトラッキングサーボ用コイルを有する第１のコイル駆動部と第２のコイル駆動部から構成し、また前記連結手段を前記第１のコイル駆動部及び第２のコイル駆動部とそれぞれ対応する第１の連結部と第２の連結部とから構成し、前記ヨークを第１及び第２の各連結部からそれぞれ対応するコイル駆動部に向かって下向きに突出するように形成することができる。このような構成によれば、ピックアップベースにおける光学部品の光路を妨げることなく、２つのコイル駆動部を備えることができ、ピックアップの薄型化とともにアクチュエータ可動部の駆動力を強化することができ、振動が生じてもアクチュエータ可動部の安定した高精度のサーボ制御が可能となる。
【００２７】
また、前記駆動コイルをそれぞれフォーカスサーボ用コイル及びトラッキングサーボ用コイルを有する第１のコイル駆動部と第２のコイル駆動部から構成し、また前記連結手段を前記アクチュエータベースの一対の側壁部の上縁部を一体に連結する所定間隔で設けられた第１及び第２の板状の連結部から構成し、さらに前記ヨークを前記第１及び第２の連結部にそれぞれ設けられた第１及び第２のヨークから構成し、該第１及び第２のヨークの各々をそれぞれのバックヨークと対向ヨークが各連結部の両側から下向きに突出するように一体に形成するようにしてもよい。
【００２８】
また、前記対物レンズは、前記第１の連結部と第２の連結部との間に位置するようにすることが好ましい。
【００２９】
また、本発明の別な特徴は、サスペンジョンバネにより少なくともトラッキング方向及びフォーカッシング方向に変位可能に支持され、光ディスクに対してビームを照射しかつ反射されたビームを受光する対物レンズと、フォーカスサーボ用コイル及びトラッキングサーボ用コイルを含む一対のコイル駆動部とを有するアクチュエータ可動部を備えた光ディスク駆動装置の光ピックアップにおいて、前記対物レンズと、前記アクチュエータ可動部の重心と、前記サスペンジョンバネが前記アクチュエータ可動部を支持する支点と、前記駆動コイルによる前記アクチュエータ可動部の駆動点とが、前記アクチュエータ可動部のほぼ中心部に位置していることを特徴とする。
【００３０】
以上の構成を有する光ディスク駆動装置の光ピックアップによれば、アクチュエータ可動部の駆動力を高めて振動の影響を受けないようにするとともに、アクチュエータ可動部のバランスをよくすることができ、高精度の制御が可能となる。
【００３１】
本発明の他の目的、構成及び効果は、図面を参照して行う以下の実施形態の説明からより明らかとなるであろう。
【００３２】
【発明の実施の形態】
以下、本発明の光ディスク駆動装置における光ピックアップの好適実施形態について、図１ないし図４に基づいて詳細に説明する。
【００３３】
図１は、本発明の光ディスク駆動装置における光ピックアップ１の分解斜視図であり、図２はその組み立てた状態の斜視図であり、図３はその平面図であり、また図４は光ピックアップ１のアクチュエータ可動部の断面図である。
【００３４】
この光ピックアップ１は、ＣＤ−ＲＯＭドライブなどの光ディスク駆動装置の内部において、図示しないスレッドモータ、該スレッドモータの回転軸に取り付けられたウォーム、該ウォームと噛合するウォームホイール、前記ウォームホイールと噛合ラックなどからなるピックアップ移動機構（スライド移動機構）により、光ディスクの半径方向に往復動自在に設けられている。
【００３５】
この光ピックアップ１は、図１ないし図３に示すように、前述した従来例の光ピックアップと同様に、概略、ガイドロッド２に摺動自在に連結されたピックアップベース１０と、前記ピックアップベース１０に揺動自在に支持されたアクチュエータベース２０と、前記アクチュエータベース２０に取り付けられたダンパーベース３０と、前記ダンパーベース３０にサスペンジョンバネ４０を介して変位可能に支持されたアクチュエータ可動部（レンズホルダ）５０と、前記アクチュエータ可動部５０に設けられた対物レンズ６０とから構成されている。
【００３６】
より詳しくは、ピックアップベース１０は、概略、ガイドロッド２が挿通する間隔をおいて設けられた一対の軸受けを有する軸受け部１１と、該軸受け部１１からガイドロッド２とほぼ直角方向に伸びる本体部１２とを有している。これらの軸受け部１１と本体部１２とは、ダイキャストなどの金属から一体成形により形成されている。
【００３７】
この本体部１２の左右には、一対の側壁１３が対向して設けられている。これらの側壁１３には、それぞれ略Ｖ字形の切り欠き１４が形成されている。これらのＶ字形の切り欠き１４は、後述するように、前記アクチュエータベース２０をガイドロッド２に平行なディスクの半径方向に沿った仮想軸Ａ（図３参照）を中心として揺動可能に支持するための一対の支持部をなしている。
【００３８】
また、この本体部１２には、前述した従来例と同様に、レーザビームを発するレーザダイオード（ＬＤ）と、前記レーザダイオードからのビームをミラーに向けて透過させるビームスプリッタと、該ビームスプリッタからのビームを対物レンズ６０の方へ向けて反射させるミラー１２ｂと、ディスクから反射され前記対物レンズ６０を通ったビームをミラー及びビームスプリッタで反射させて受光し、該ビームの光強度の変化に基づいて電気信号を生成するフォトダイオードが設けられている。そして、レーザダイオード（ＬＤ）と、ビームスプリッタと、フォトダイオードは、図１の符号１２ａで示す光学部品収容部に収容され、またミラー１２ｂは、対物レンズ６０の下方に位置するように配設されている。
【００３９】
アクチュエータベース２０は、ピックアップベース１０の側壁１３の内側に位置する一対の左右側壁部２３、２３を有しており、これらの側壁部２３、２３の上縁部は板状の第１、第２及び第３の連結部２４ａ，２４ｂ、２４ｃを介して一体に連結されている。
【００４０】
これらの側壁部２３、２３の外面には、ピックアップベース１０の側壁１３のＶ字形の切り欠き１４と対応する位置に、該切り欠き１４に係合する半円状の断面を有する係合部２３ａ，２３ａが一体に突出形成されており、これらの係合部２３ａ，２３ａを介してアクチュエータベース２０がピックアップベース１０に対して揺動可能に支持されている。
【００４１】
アクチュエータベース２０の第１及び第２の連結部２４ａ、２４ｂのそれぞれの両側には、アクチュエータ可動部５０の駆動コイル５４と共働する第１及び第２のヨーク２６ａ、２６ｂが略直角に下向きに一体形成されている。図４に詳しく図示されているように、各ヨーク２６ａ，２６ｂは、それぞれバックヨーク２６１と対向ヨーク２６２とから構成されており、第１のヨーク２６ａと第２のヨーク２６ｂとでは、バックヨークと対向ヨークの位置が逆になっており、第１のヨーク２６ａの対向ヨーク２６２と第２のヨーク２６ｂの対向ヨーク２６２が向かい合うようになっている。各ヨークのバックヨーク２６１は、対向ヨーク２６２よりいくらか幅広に形成されており、また各バックヨーク２６１の内面には永久磁石片２８が取り付けられている。
【００４２】
また、アクチュエータベース２０のガイドロッド２側の第３の連結部２４ｃの外縁には、ダンパーベース３０の取付部２５が下向きに一体に折曲げ形成されている。この取付部２５の内側にダンパーベース３０がネジ３２により固定されている。このネジ３２は、取付部２５の外側から該取付部２５に形成されたネジ穴を通ってダンパーベース３０に螺合しており、このネジ３２の軸を中心として、ラジアルスキュー調整を行うことができるようになっている。
【００４３】
さらに、このアクチュエータベース２０の第１の連結部２４ａの外縁からは、略Ｌ字形の突片２０ａが下向きに一体形成されており、この突片２０ａの先端部は、図２に示すように、ピックアップベース１０の本体部１２に固定されたバネ部材３６により、下向きに付勢されている。これにより、アクチュエータベース２０は、その揺動軸Ａを中心として常時突片２０ａの先端部が下向きに回動するように付勢されている。
【００４４】
また、アクチュエータベース２０の左側の側壁部２３のガイドロッド側の下端部には、タブ状の突片２３ｂが一体に形成されている。この突片２３ｂには、ネジ穴が形成されており、またピックアップベース１０の軸受け部１１の対応する部分にもネジ穴が形成されている。そして、ピックアップベース１０の下面からこれらのネジ穴を通ってネジ２９が螺合されている。
【００４５】
この実施形態では、このネジ２９を調整して、アクチュエータベース２０を前記揺動軸Ａを中心に回動させることにより、アクチュエータベース２０のピックアップベース１０に対するタンジェンシャルスキューを調整することができるようになっており、これらの構造によりタンジェンシャルスキュー調整機構を構成している。
【００４６】
ダンパーベース３０の左右両側（図１の上下）からは、上下２本のサスペンジョンバネ４０がそれぞれガイドロッド２と直交する方向に延出している。これらのサスペンジョンバネ４０の先端側は、アクチュエータ可動部（レンズホルダ）５０の左右両側のほぼ中央部に形成された凸部に取り付けられている。それにより、このアクチュエータ可動部５０は、サスペンジョンバネ４０を介して、少なくとも上下方向（フォーカッシング方向）及び水平方向（トラッキング方向）に変位可能に支持されている。
【００４７】
この場合、アクチュエータ可動部５０に対するサスペンジョンバネ４０の取り付け個所（支点）が対物レンズ６０の左右両側の位置になるようにするとともに、その支点の間にアクチュエータ可動部５０の重心がほぼ位置するようにすることが好ましい。このような構成によれば、アクチュエータ可動部５０のバランスをよくして、安定した駆動が可能となり、また前述した従来例のようなバランス用の重りを設ける必要はなくなる。
【００４８】
このアクチュエータ可動部５０は、上面から見てほぼ正方形の形状に形成された樹脂製の可動部本体５０ａを有しており、そのほぼ中央部に対物レンズ６０が設けられている。この対物レンズ６０設置位置は、前記アクチュエータベース２０の揺動軸Ａ上にあり、そのため前述したタンエンシャルスキュー調整をより精度よく行うことができる。
【００４９】
また、このアクチュエータ可動部５０の対物レンズ６０の前後両側には、アクチュエータベース２０の第１及び第２のヨーク２６ａ，２６ｂと協働して対物レンズ６０をフォーカッシング方向及びトラッキング方向に駆動するための駆動コイル５４が設けられている。この駆動コイル５４は、それぞれフォーカスサーボ用コイル５７及びトラッキングサーボ用コイル５８を有する第１及び第２のコイル駆動部５４ａ，５４ｂからなる。
【００５０】
より詳しく説明すると、このアクチュエータ可動部５０の可動部本体５０ａには、対物レンズ６０を挟んで対称な位置に第１及び第２のスロット５５ａ，５５ｂが形成されている。これらの第１及び第２のスロット５５ａ、５５ｂは、対物レンズ６０の前後両側において、すなわちガイドロッド２と直交する方向に間隔をおいて、ガイドロッド２と略平行なるように形成されている。
【００５１】
この可動部本体５０ａの周囲には、フォーカスサーボ用コイル５７が巻回されている。さらに、可動部本体５０ａの各スロット５５ａ，５５ｂが設けられた位置の外側側面（可動部本体の前後の側面）には、それぞれ一対のボビンが突出形成されており、これらのボビンにトラッキングサーボ用コイル５８が巻回されている。これらのトラッキングサーボ用コイル５８は、直列に電気的に接続されており、共通の駆動電流で駆動するようになっている。
【００５２】
このような構成により、このアクチュエータ可動部５０は、第１のスロット５５ａの部分における第１のコイル駆動部５４ａと第２のスロット５５ｂの部分における第２のコイル駆動部５４ｂを有し、それぞれのコイル駆動部５４ａ，５４ｂがフォーカスサーボ用コイル５７及びトラッキングサーボ用のコイル５８を備えることになる。換言すれば、１つのフォーカスサーボ用コイル５７を２つのコイル駆動部５４ａ，５４ｂで利用し、２個の駆動点が得られるようになっている。
【００５３】
そして、これらの第１及び第２のコイル駆動部５４ａ，５４ｂのスロット５５ａ，５５ｂの中に、アクチュエータベースの連結部２４ａ，２４ｂに下向きに一体に折り曲げ形成された第１及び第２のヨーク２６ａ、２６ｂの対向ヨーク２６２、２６２がそれぞれ挿入される。この状態において、各ヨーク２６ａ，２６ｂのバックヨーク２６１，２６１は、各スロットの外側の可動部本体５０ａの一部、フォーカスサーボ用コイル５７の一部及びトラッキングサーボ用コイル５８を介して、可動部本体５０ａの外側に位置するようになっている。そのため、この光ピックアップでは、バックヨーク２６１，永久磁石、可動部本体の一部（空隙）、対向ヨーク２６２という磁気回路が２個構成されることになる。
【００５４】
その結果、この光ピックアップでは、アクチュエータ可動部５０がこれらの２個のコイル駆動部５４ａ，５４ｂを介して駆動されるので、前述した従来例に比べて、大きな駆動力を発揮することができ、光ディスクの高速回転により大きな振動が生じても、サーボ系の精度に影響を与えないようにすることが可能となる。
【００５５】
また、対物レンズ６０は、これらの第１及び第２のコイル駆動部５４ａ，５４ｂの間に位置しており、その位置は、アクチュエータ可動部５０の重心とほぼ一致するとともに、アクチュエータ可動部５０の駆動点とともほぼ一致する。また、前述したように、サスペンジョンバネの支点も対物レンズ６０の左右両側に位置し、さらにアクチュエータベース２０の揺動軸Ａも対物レンズ６０の下側を通ることになる。すなわち、これらの要素がアクチュエータ可動部５０のほぼ中心に位置することになる。このような設計は、アクチュエータ可動部５０のバランスを良好にし、正確な駆動制御が可能になるとともに、スキュー調整も高精度に行うことができる利点がある。
【００５６】
さらに、以上のアクチュエータ可動部の構造では、従来の構造で見られた対向ヨークの反対側における磁束漏れといった原理上は起こらないものと考えられる。
【００５７】
なお、図３において、符号７０は、光ピックアップとの間で各種信号を送受するためのフレキシブルプリント基板であり、また図２及び図３において符号７９で示す部材は、フレキシブルプリント基板７０が光ピックアップから延出する方向を規制する押さえ部材である。
【００５８】
以上の構成を有する光ピックアップ１を組み立てる場合は、まずアクチュエータベース２０の第１の連結部２４ａ及び第２の連結部２４ｂに形成した対向ヨーク２６２，２６２がアクチュエータ可動部５０のコイル駆動部５４ａ，５４ｂの対応するスロット５５ａ，５５ｂにそれぞれ挿入した状態で、ダンパーベース３０をネジ３２によりアクチュエータベース２０の取付部２５に固定する。
【００５９】
そして、そのように組み立てられたアクチュエータベース２０と、ダンパーベース３０及びアクチュエータ可動部５０をピックアップベース１０に取り付ける。
【００６０】
この場合、アクチュエータ可動部５０の下側にレーザダイオードからのビームの光路が位置することになるが、アクチュエータ可動部５０のフォーカス方向の移動範囲の外側に位置するので問題とならない。前述した従来例の構造でコイル駆動部を２個に増やすとすると、アクチュエータベース１２０のベースフレーム１２１に２つの連結部が必要となるが、そのような構造ではレーザビームの光路をそれらの連結部の下側に設定しなければならず、ピックアップの薄型化は困難である。これに対して、本実施形態では、アクチュエータ可動部５０の駆動力の向上とピックアップの薄型化を、前述したアクチュエータベース２０を上側からかぶせる構造にすることによって実現している。
【００６１】
また、本実施形態では、図４に示すように、アクチュエータベース２０のベースフレーム２１の金属製板材の厚さ分は、対物レンズ６０の上部とアクチュエータ可動部５０の上面との間のスペースで吸収することができ、そのためその板材の厚さ分だけ光ピックアップ１の高さを低く押さえることができ、それにより光ピックアップの薄型化を可能にしている。実際の製品レベルで比較した場合、従来例の光ピックアップの厚さは約９ｍｍであったのに対し、本実施形態の厚さは約５．９ｍｍとなっている。
【００６２】
【発明の効果】
上述した本発明の光ピックアップによれば、２個のコイル駆動部を備えているので、アクチュエータ可動部の駆動力をより強力にでき、光ディスクが高速で回転する場合でも、振動の影響を受けずに正確にサーボ制御を行うことが可能となる。また、前記第１及び第２のコイル駆動部が前記対物レンズを挟んで対象な位置に配設されているので、コイル駆動部によるアクチュエータ可動部の駆動点と対物レンズの位置とを近接させることができ、アクチュエータ可動部のバランスをよくして、安定した駆動が可能となる。
【００６３】
また、本発明の光ピックアップによれば、少なくともアクチュエータベースの板厚分をピックアップの上側のスペースで吸収することができ、ピックアップを薄型化することが可能となる。
【図面の簡単な説明】
【図１】本発明の光ディスク駆動装置の光ピックアップの一実施例の分解斜視図である。
【図２】図１に示す光ピックアップの斜視図である。
【図３】図１に示す光ピックアップの平面図である。
【図４】図１に示す光ピックアップのアクチュエータ可動部の断面図である。
【図５】従来の光ディスク駆動装置の光ピックアップの分解斜視図である。
【図６】図５に示す光ピックアップのアクチュエータ可動部の断面図である。
【符号の説明】
１  光ピックアップ
２  ガイドロッド
１０  ピックアップベース
１２  本体部
１３  側壁
２０  アクチュエータベース
２１  ベースフレーム
２３  側壁
２４ａ  第１の連結部
２４ｂ  第２の連結部
２４ｃ  第３の連結部
２５  取付部
２６ａ  第１のヨーク
２６ｂ  第２のヨーク
２６１  バックヨーク
２６２  対向ヨーク
２８  永久磁石
３０  ダンパーベース
４０  サスペンジョンバネ
５０  アクチュエータ可動部
５０ａ  可動部本体
５４  駆動コイル
５４ａ  第１のコイル駆動部
５４ｂ  第２のコイル駆動部
５５ａ，５５ｂ  スロット
５７  フォーカスサーボ用コイル
５８  トラッキングサーボ用コイル
６０  対物レンズ
１００  従来例の光ピックアップ
１１０  ピックアップベース
１２０  アクチュエータベース
１３０  ダンパーベース
１４０  サスペンジョンバネ
１５０  アクチュエータ可動部
１６０  対物レンズ